(57)【要約】【課題】錘を不要にできて障子を軽量化でき、障子に対して正圧、負圧のいずれの方向の風が当たった場合でも障子を閉鎖できる横軸回転窓および建物の提供。【解決手段】横軸回転窓２は、窓枠１０と、障子２０と、窓枠１０に対して障子を回転自在に軸支する水平な回転軸３２０とを備える。回転軸３２０は、障子２０の高さ方向の中心位置に配置し、窓枠１０の縦枠および障子２０の縦框に対して窓枠１０の見込み方向に位置調整可能に取り付ける。これにより、回転軸３２０は、障子２０の重心位置に対して見込み方向に所定距離離れた位置に配置する。【選択図】図１２
2015021255.tif 000002
【特許請求の範囲】
【請求項１】
窓枠と、障子と、前記窓枠に対して前記障子を回転自在に軸支する水平な回転軸とを備え、
前記回転軸は、前記障子の高さ方向の中心位置に配置され、かつ、前記障子の重心位置に対して見込み方向に所定距離離れた位置に配置されている横軸回転窓。
【請求項２】
前記回転軸は、前記窓枠の縦枠および前記障子の縦框に対して前記窓枠の見込み方向に位置調整可能に取り付けられている請求項１に記載の横軸回転窓。
【請求項３】
前記縦枠および縦框の一方に対して前記見込み方向に位置調整可能に取り付けられ、かつ、前記回転軸が設けられた軸部材と、
前記縦枠および縦框の他方に対して前記見込み方向に位置調整可能に取り付けられ、かつ、前記回転軸が回動自在に挿通される軸穴を有する軸受け部材とを備える請求項２に記載の横軸回転窓。
【請求項４】
前記窓枠には、前記障子に当接して、前記障子が窓枠の開口を閉鎖する状態から開放する状態に回転する際の回転角度を規制する戸当たり部材が取り付けられ、
前記所定距離は、
前記障子に当たる風の風速が閾値未満の場合には、前記回転軸と重心位置とが見込み方向に所定距離離れていることで障子に発生する回転モーメントにより、前記障子が前記戸当たり部材に当接する位置まで回転し、
前記障子に当たる風の風速が閾値以上の場合は、前記障子が閉鎖方向に回転するように設定されている請求項１から請求項３のいずれかに記載の横軸回転窓。
【請求項５】
前記窓枠に取り付けられたストッパー受け部材と、
前記障子に取り付けられたストッパー部材とを有する規制装置を備え、
前記ストッパー部材は、前記障子に対して水平な横軸で回動自在に取り付けられたストッパー本体と、ストッパー本体に固定された風受け部とを備え、
前記規制装置は、
前記風受け部が屋外側から屋内側に向かう風を受けて前記ストッパー本体および前記風受け部が屋内側に回動した場合は、前記障子の閉鎖方向への回転を許容し、
前記風受け部が屋内側から屋外側に向かう風を受けて前記ストッパー本体および前記風受け部が屋外側に回動した場合は、前記ストッパー本体が前記ストッパー受け部材に当接して、前記障子の閉鎖方向への回転を規制する請求項１から請求項４のいずれかに記載の横軸回転窓。
【請求項６】
前記窓枠に取り付けられたストッパー受け部材と、
前記障子に取り付けられたストッパー部材とを有する規制装置を備え、
前記ストッパー部材は、前記障子に対して水平な横軸で回動自在に取り付けられたストッパー本体と、ストッパー本体に固定された風受け部とを備え、
前記規制装置は、
前記風受け部が屋内側から屋外側に向かう風を受けて前記ストッパー本体および前記風受け部が屋外側に回動した場合は、前記障子の閉鎖方向への回転を許容し、
前記風受け部が屋外側から屋内側に向かう風を受けて前記ストッパー本体および前記風受け部が屋内側に回動した場合は、前記ストッパー本体が前記ストッパー受け部材に当接して、前記障子の閉鎖方向への回転を規制する請求項１から請求項４のいずれかに記載の横軸回転窓。
【請求項７】
前記窓枠に取り付けられたストッパー受け部材および規制解除装置と、
前記障子に取り付けられたストッパー部材と、
を有する規制装置を備え、
前記ストッパー部材は、前記障子に対して水平な横軸で回動自在に取り付けられたストッパー本体と、ストッパー本体に固定された風受け部とを備え、
前記ストッパー受け部材は、前記窓枠に対して回動自在に取り付けられ、
前記規制解除装置は、前記ストッパー受け部材に当接して所定の付勢力で付勢する付勢手段と、前記付勢手段の付勢力を調整する調整手段とを備え、
前記規制装置は、
前記風受け部が屋外側から屋内側に向かう風を受けて前記ストッパー本体および前記風受け部が屋内側に回動した場合は、前記障子の閉鎖方向への回転を許容し、
前記風受け部が屋内側から屋外側に向かう第１風速未満の風を受けて前記ストッパー本体および前記風受け部が屋外側に回動した場合は、前記ストッパー本体が前記ストッパー受け部材に当接して、前記障子の閉鎖方向への回転を規制し、
前記風受け部が屋内側から屋外側に向かう第１風速以上の風を受けて前記ストッパー本体および前記風受け部が屋外側に回動した場合は、前記ストッパー本体が前記ストッパー受け部材に当接した際にストッパー受け部材に加わる力が前記付勢力以上となり、前記ストッパー部材が回動してストッパー本体がストッパー受け部材から外れて、前記障子の閉鎖方向への回転規制を解除する請求項１から請求項４のいずれかに記載の横軸回転窓。
【請求項８】
前記窓枠に取り付けられたストッパー受け部材および規制解除装置と、
前記障子に取り付けられたストッパー部材と、
を有する規制装置を備え、
前記ストッパー部材は、前記障子に対して水平な横軸で回動自在に取り付けられたストッパー本体と、ストッパー本体に固定された風受け部とを備え、
前記ストッパー受け部材は、前記窓枠に対して回動自在に取り付けられ、
前記規制解除装置は、前記ストッパー受け部材に当接して所定の付勢力で付勢する付勢手段と、前記付勢手段の付勢力を調整する調整手段とを備え、
前記規制装置は、
前記風受け部が屋内側から屋外側に向かう風を受けて前記ストッパー本体および前記風受け部が屋外側に回動した場合は、前記障子の閉鎖方向への回転を許容し、
前記風受け部が屋外側から屋内側に向かう第１風速未満の風を受けて前記ストッパー本体および前記風受け部が屋内側に回動した場合は、前記ストッパー本体が前記ストッパー受け部材に当接して、前記障子の閉鎖方向への回転を規制し、
前記風受け部が屋外側から屋内側に向かう第１風速以上の風を受けて前記ストッパー本体および前記風受け部が屋内側に回動した場合は、前記ストッパー本体が前記ストッパー受け部材に当接した際にストッパー受け部材に加わる力が前記付勢力以上となり、前記ストッパー部材が回動してストッパー本体がストッパー受け部材から外れて、前記障子の閉鎖方向への回転規制を解除する請求項１から請求項４のいずれかに記載の横軸回転窓。
【請求項９】
請求項１から請求項８のいずれかに記載の横軸回転窓を備える建物。
【発明の詳細な説明】
【技術分野】
【０００１】
本発明は横軸回転窓に関し、特に障子が風を受けた際の風圧によって障子が自然に開閉して換気が行える横軸回転窓および建物に関する。
【背景技術】
【０００２】
障子が風を受けて自然に開閉して換気が行われる自然換気窓が知られている（例えば特許文献１参照）。
この自然換気窓は、横軸回転窓の一種であり、水平な回転軸を障子の上下方向の中央位置よりも上部側に配置することで、障子を偏心状態で軸支する。また、障子の軸支位置よりも上側でかつ障子の室内側に錘を取り付けてあり、この錘によって無風時には障子の下端側が室外側に開くようにして、自然に開放状態となるように設定している。
さらに、室外側から障子に風が当たると、障子は軸支位置よりも下側の面積が広いため、障子の下端側が室内方向に移動して障子を閉鎖状態にできる。
従って、比較的風圧が低い場合には、自然に障子を開放状態にできて換気を行え、室外側から室内側に強風が吹いた場合など、所定値以上の正圧が障子に加わった場合は、障子を自動的に閉鎖状態にできて風の吹き込みを防止できる。
【先行技術文献】
【特許文献】
【０００３】
【特許文献１】特開２００５−１４６５４４号公報
【発明の概要】
【発明が解決しようとする課題】
【０００４】
しかしながら、前記特許文献１では、回転軸を障子の上下方向の中央位置よりも上部側に偏心して配置したため、室外側から室内側に風が吹いて障子に正圧が加わった場合しか障子を閉めることができない。このため、障子に対して負圧が加わって、室内側から室外側に風が吹いた場合には、障子を閉めることができない。
また、障子の室外側に錘を設けることで、障子の下端側が室内側に開くように構成することも考えられるが、この場合、障子に負圧が加わった場合は障子を閉めることができるが、逆に、障子に正圧が加わった場合には障子を閉めることができない。
従って、従来の横軸回転窓形式の自然換気窓では、風の吹き込みを自動的に防止する機能は、正圧または負圧のいずれか一方に対してのみしか実現できないという問題がある。
【０００５】
また、従来の横軸回転窓形式の自然換気窓では、前記錘を障子に設ける必要があり、コストが増加し、障子の重量増によって耐久性や施工性が低下するという問題がある。
本発明の目的は、錘を不要にできて障子を軽量化でき、かつ、障子に対して正圧、負圧のいずれの方向の風が当たった場合でも障子を閉めることができる横軸回転窓および建物を提供することにある。
【課題を解決するための手段】
【０００６】
本発明の横軸回転窓は、窓枠と、障子と、前記窓枠に対して前記障子を回転自在に軸支する水平な回転軸とを備え、前記回転軸は、前記障子の高さ方向の中心位置に配置され、かつ、前記障子の重心位置に対して見込み方向に所定距離離れた位置に配置されていることを特徴とする。
【０００７】
本発明によれば、障子の回転軸を障子の高さ方向の中心位置に設定しているので、障子の回転軸は、障子の重心と同じ高さ位置に設定される。また、前記回転軸は、障子の重心位置に対して見込み方向に所定距離離れた位置に配置しているので、回転軸および重心間の距離を所定の長さに設定できる。従って、障子は重心と回転軸とが見込み方向にずれていることで、錘を設けることなく障子を開放する方向の回転モーメントが発生する。この際、前記回転軸および重心間の長さを設定することで、前記回転モーメントの大きさも予め設定できる。従って、無風状態や微風から弱風程度の風速であれば、前記回転モーメントによって障子を自動的に開くことができ、自然換気を実現できる。
さらに、障子は、回転軸を障子の高さ方向の中心位置に設定しているため、障子において回転軸よりも上側の面積と、下側の面積とをほぼ同じ面積に設定できる。このため、中風から強風程度の風速の風が屋外側から屋内側に吹いている場合（正圧の場合）と、屋内側から屋外側に吹いている場合（負圧の場合）のいずれにおいても、その風が当たることで前記回転モーメントよりも大きな力で障子を閉鎖方向に回転でき、自動的に閉鎖することができる。
このため、強い風が横軸回転窓から吹き込んだり、吹き出すことを自動的に防止できる。従って、本実施形態の横軸回転窓を建物の自然換気計画に応じて配置することで、良好な自然換気状態を保つことができる。
その上、障子に錘を設ける必要が無いため、障子を軽量化でき、横軸回転窓の耐久性や施工性を向上でき、コストも低減できる。
【０００８】
本発明の横軸回転窓では、前記回転軸は、前記窓枠の縦枠および前記障子の縦框に対して前記窓枠の見込み方向に位置調整可能に取り付けられていることが好ましい。
本発明によれば、前記回転軸を窓枠の見込み方向に位置調整可能としているので、前記障子の重心および回転軸間の長さを調整して前記回転モーメントの大きさを調整できる。このため、横軸回転窓の設置場所や利用者の要望などに応じて、障子を自動的に閉鎖する風圧も調整できるため、使い勝手のよい横軸回転窓とすることができる。
【０００９】
本発明の横軸回転窓では、前記縦枠および縦框の一方に対して前記見込み方向に位置調整可能に取り付けられ、かつ、前記回転軸が設けられた軸部材と、前記縦枠および縦框の他方に対して前記見込み方向に位置調整可能に取り付けられ、かつ、前記回転軸が回動自在に挿通される軸穴を有する軸受け部材とを備えることが好ましい。
【００１０】
本発明によれば、軸部材および軸受け部材を窓枠および障子に対して見込み方向に位置調整可能に取り付けているので、窓枠および障子の相対位置を変更することなく、障子の回転軸のみを見込み方向（屋内外方向）に容易に調整できる。従って、ガラスの重さや取り付け位置などの変化で障子の重心位置が変わった場合でも、その重心位置に応じて適切な位置に回転軸を配置できる。このため、建物の環境などに応じて、横軸回転窓の機能を微調整することもでき、建物に適した自然換気状態を良好に維持できる。
【００１１】
本発明の横軸回転窓では、前記窓枠には、前記障子に当接して、前記障子が窓枠の開口を閉鎖する状態から開放する状態に回転する際の回転角度を規制する戸当たり部材が取り付けられ、前記所定距離は、前記障子に当たる風の風速が閾値未満の場合には、前記回転軸と重心位置とが見込み方向に所定距離離れていることで障子に発生する回転モーメントにより、前記障子が前記戸当たり部材に当接する位置まで回転し、前記障子に当たる風の風速が閾値以上の場合は、前記障子が閉鎖方向に回転するように設定されていることが好ましい。
【００１２】
本発明によれば、戸当たり部材で障子の開放状態の回転角度を規制できるので、障子の全開状態を一定にかつ安定させることができる。このため、回転軸および重心間の距離の設定が容易に行うことができる。すなわち、回転軸および重心間の距離は、障子の開放時に少なくとも前記戸当たり部材に当接する角度まで回転する距離以上に設定すればよい。従って、具体的な距離は、障子を閉鎖方向の回転させるための風速の設定に応じて容易に調整できる。
【００１３】
本発明の横軸回転窓は、前記窓枠に取り付けられたストッパー受け部材と、前記障子に取り付けられたストッパー部材とを有する規制装置を備え、前記ストッパー部材は、前記障子に対して水平な横軸で回動自在に取り付けられたストッパー本体と、ストッパー本体に固定された風受け部とを備え、前記規制装置は、前記風受け部が屋外側から屋内側に向かう風を受けて前記ストッパー本体および前記風受け部が屋内側に回動した場合は、前記障子の閉鎖方向への回転を許容し、前記風受け部が屋内側から屋外側に向かう風を受けて前記ストッパー本体および前記風受け部が屋外側に回動した場合は、前記ストッパー本体が前記ストッパー受け部材に当接して、前記障子の閉鎖方向への回転を規制することが好ましい。
【００１４】
本発明によれば、規制装置を設けたので、屋外側から屋内側に風が吹いた場合（正圧の場合）には障子を閉鎖方向に回転できる一方で、屋内側から屋外側に風が吹いた場合（負圧の場合）には障子の閉鎖方向への回転を規制できる。従って、建物において、屋内から屋外に換気を行うために、負圧時は障子を開放状態に維持する必要がある場合に適した横軸回転窓を提供できる。
【００１５】
本発明の横軸回転窓は、前記窓枠に取り付けられたストッパー受け部材と、前記障子に取り付けられたストッパー部材とを有する規制装置を備え、前記ストッパー部材は、前記障子に対して水平な横軸で回動自在に取り付けられたストッパー本体と、ストッパー本体に固定された風受け部とを備え、前記規制装置は、前記風受け部が屋内側から屋外側に向かう風を受けて前記ストッパー本体および前記風受け部が屋外側に回動した場合は、前記障子の閉鎖方向への回転を許容し、前記風受け部が屋外側から屋内側に向かう風を受けて前記ストッパー本体および前記風受け部が屋内側に回動した場合は、前記ストッパー本体が前記ストッパー受け部材に当接して、前記障子の閉鎖方向への回転を規制することが好ましい。
【００１６】
本発明によれば、規制装置を設けたので、屋内側から屋外側に風が吹いた場合（負圧の場合）には障子を閉鎖方向に回転できる一方で、屋外側から屋内側に風が吹いた場合（正圧の場合）には障子の閉鎖方向への回転を規制できる。従って、建物において、屋外から屋内に換気を行うために、正圧時に障子を開放状態に維持する必要がある場合に適した横軸回転窓を提供できる。
【００１７】
本発明の横軸回転窓は、前記窓枠に取り付けられたストッパー受け部材および規制解除装置と、前記障子に取り付けられたストッパー部材と、を有する規制装置を備え、前記ストッパー部材は、前記障子に対して水平な横軸で回動自在に取り付けられたストッパー本体と、ストッパー本体に固定された風受け部とを備え、前記ストッパー受け部材は、前記窓枠に対して回動自在に取り付けられ、前記規制解除装置は、前記ストッパー受け部材に当接して所定の付勢力で付勢する付勢手段と、前記付勢手段の付勢力を調整する調整手段とを備え、前記規制装置は、前記風受け部が屋外側から屋内側に向かう風を受けて前記ストッパー本体および前記風受け部が屋内側に回動した場合は、前記障子の閉鎖方向への回転を許容し、前記風受け部が屋内側から屋外側に向かう第１風速未満の風を受けて前記ストッパー本体および前記風受け部が屋外側に回動した場合は、前記ストッパー本体が前記ストッパー受け部材に当接して、前記障子の閉鎖方向への回転を規制し、前記風受け部が屋内側から屋外側に向かう第１風速以上の風を受けて前記ストッパー本体および前記風受け部が屋外側に回動した場合は、前記ストッパー本体が前記ストッパー受け部材に当接した際にストッパー受け部材に加わる力が前記付勢力以上となり、前記ストッパー部材が回動してストッパー本体がストッパー受け部材から外れて、前記障子の閉鎖方向への回転規制を解除することが好ましい。
【００１８】
本発明によれば、規制装置として、負圧時の風速が大きくなった場合にストッパーを解除する規制解除装置を設けたので、負圧時の風速が所定値以上に達した際に障子を自動的に閉鎖できる。このため、風速が強い場合の過剰な換気を防止できる。
【００１９】
本発明の横軸回転窓は、前記窓枠に取り付けられたストッパー受け部材および規制解除装置と、前記障子に取り付けられたストッパー部材と、を有する規制装置を備え、前記ストッパー部材は、前記障子に対して水平な横軸で回動自在に取り付けられたストッパー本体と、ストッパー本体に固定された風受け部とを備え、前記ストッパー受け部材は、前記窓枠に対して回動自在に取り付けられ、前記規制解除装置は、前記ストッパー受け部材に当接して所定の付勢力で付勢する付勢手段と、前記付勢手段の付勢力を調整する調整手段とを備え、前記規制装置は、前記風受け部が屋内側から屋外側に向かう風を受けて前記ストッパー本体および前記風受け部が屋外側に回動した場合は、前記障子の閉鎖方向への回転を許容し、前記風受け部が屋外側から屋内側に向かう第１風速未満の風を受けて前記ストッパー本体および前記風受け部が屋内側に回動した場合は、前記ストッパー本体が前記ストッパー受け部材に当接して、前記障子の閉鎖方向への回転を規制し、前記風受け部が屋外側から屋内側に向かう第１風速以上の風を受けて前記ストッパー本体および前記風受け部が屋内側に回動した場合は、前記ストッパー本体が前記ストッパー受け部材に当接した際にストッパー受け部材に加わる力が前記付勢力以上となり、前記ストッパー部材が回動してストッパー本体がストッパー受け部材から外れて、前記障子の閉鎖方向への回転規制を解除することが好ましい。
【００２０】
本発明によれば、規制装置として、正圧時の風速が大きくなった場合にストッパーを解除する規制解除装置を設けたので、正圧時の風速が所定値以上に達した際に障子を自動的に閉鎖できる。このため、風速が強い場合の過剰な換気を防止できる。
【００２１】
本発明の建物は、前記横軸回転窓を備えることを特徴とする。このような建物であれば、前述の各横軸回転窓による効果を奏することができ、建物に適した自然換気状態を良好に維持できる。
【発明の効果】
【００２２】
本発明によれば、錘を不要にできて障子を軽量化でき、かつ、障子に対して正圧、負圧のいずれの方向の風が当たった場合でも障子を閉めることができる。
【図面の簡単な説明】
【００２３】
【図１】第１実施形態の横軸回転窓を屋内側から見た正面図。
【図２】図１のＡ−Ａ線に沿った平断面図。
【図３】第１実施形態の横軸回転窓を示す縦断面図。
【図４】ヒンジ装置の構成を示す図５，６のＢ−Ｂ線に沿った平断面図。
【図５】ヒンジ装置の軸部材を示す側面図。
【図６】ヒンジ装置の軸受け部材を示す側面図。
【図７】図５，６のＣ−Ｃ線に沿った平断面図。
【図８】屋外側に移動したヒンジ装置を示す平断面図。
【図９】屋外側に移動したヒンジ装置を示す平断面図。
【図１０】回転軸の軸心および障子の重心の位置関係を示す図。
【図１１】障子の全開状態を示す縦断面図。
【図１２】正圧による障子の閉鎖方向への回転状態を示す縦断面図。
【図１３】負圧による障子の閉鎖方向への回転状態を示す縦断面図。
【図１４】風速と障子角度との関係を示すグラフ。
【図１５】第２実施形態の横軸回転窓を屋内側から見た正面図。
【図１６】図１５のＤ−Ｄ線に沿った平断面図。
【図１７】規制装置の要部を示す側面図。
【図１８】規制装置の要部を示す平面図。
【図１９】第２実施形態における規制装置の正圧時の移動状態を示す図。
【図２０】第２実施形態における規制装置の負圧時の移動状態を示す図。
【図２１】第３実施形態における規制装置の正圧時の移動状態を示す図。
【図２２】第３実施形態における規制装置の負圧時の移動状態を示す図。
【図２３】第４実施形態における規制装置の要部を示す平面図。
【図２４】第４実施形態における規制装置の要部を示す側面図。
【図２５】第４実施形態における規制装置の負圧時の移動状態を示す図。
【図２６】第４実施形態における規制装置の負圧時の移動状態を示す図。
【図２７】第４実施形態における規制装置の負圧時の移動状態を示す図。
【図２８】風速と障子角度との関係を示すグラフ。
【図２９】第５実施形態における規制装置の要部を示す平面図。
【図３０】第５実施形態における規制装置の要部を示す側面図。
【図３１】第５実施形態における規制装置の正圧時の移動状態を示す図。
【図３２】第５実施形態における規制装置の正圧時の移動状態を示す図。
【図３３】第５実施形態における規制装置の正圧時の移動状態を示す図。
【発明を実施するための形態】
【００２４】
以下、本発明の実施形態を図面に基づいて説明する。
なお、各図においては、図面を見やすくするために、主要な構成部材については、その断面部分のハッチングを省略することがある。
【００２５】
［第１実施形態］
図１〜３に示すように、第１実施形態は、２つの横軸回転窓２を左右に配置して構成される連窓１である。
連窓１は、左右の縦枠３，４と、縦枠３，４の上端間および下端間を連結する上枠５、下枠６と、連窓１の見付け方向（左右方向）の中間位置で上枠５、下枠６間に配置された方立７とを備える。
従って、屋内側から見て左側の縦枠３と、上枠５および下枠６と、方立（縦枠）７とで、左側の横軸回転窓２の窓枠１０が構成される。また、屋内側から見て右側の縦枠４と、上枠５および下枠６と、方立（縦枠）７とで、右側の横軸回転窓２の窓枠１０が構成される。
［窓枠］
各窓枠１０には、横軸回転窓２の障子２０、２０が、後述するヒンジ装置３０を介して回転自在に軸支されている。
各障子２０は同一構造の障子であり、左右の縦框２１、２２と、上框２３、下框２４を枠組みし、その内部に複層ガラス２５を組み込んで構成されている。
本実施形態の障子２０は、開放時に下端側が屋外側に移動し、上端側が屋内側に移動するように構成されている。
【００２６】
［戸当たり部材］
図１，３に示すように、連窓１の左右の縦枠３，４には、各障子２０、２０が開放した際に、障子２０が当接する戸当たり部材８が取り付けられている。このため、障子２０は開放方向に回転した場合、前記戸当たり部材８に当接する位置までしか回転しない。
【００２７】
［ヒンジ装置］
ヒンジ装置３０は、障子２０の左右にそれぞれ配置される。すなわち、図２に示すように、縦枠３と縦框２１との間、縦框２２と方立７との間、方立７と縦框２１との間、縦框２２と縦枠４との間にそれぞれ配置される。各ヒンジ装置３０の構成は同一であるため、縦枠３および縦框２１間に配置されるヒンジ装置３０に関し、図４〜７に基づいて説明する。
なお、図４は、図５，６のＢ−Ｂ線に沿ったヒンジ装置３０の平断面図である。図５は軸部材３１の側面図であり、図６は軸受け部材３５の側面図である。図７は、図５，６のＣ−Ｃ線に沿ったヒンジ装置３０の平断面図である。
ヒンジ装置３０は、回転軸３２０が設けられた軸部材３１と、回転軸３２０が回動自在に挿入される軸受け部材３５とを有する。
そして、軸部材３１は、窓枠１０または障子２０の一方に取り付けられ、軸受け部材３５は他方に取り付けられる。図４〜７においては、軸部材３１が障子２０の縦框２１に取り付けられ、軸受け部材３５が窓枠１０の縦枠３に取り付けられている。
【００２８】
［軸部材の構成］
軸部材３１は、図４，５に示すように、プレート３１０と、プレート３１０にネジ止めされた丸棒状の回転軸３２０とで構成されている。
プレート３１０は、側面略矩形状に形成され、回転軸３２０の上下の位置に長孔３１２，３１２が形成されている。これらの長孔３１２，３１２は、横軸回転窓２の見込み方向（屋内外方向）に沿って延長された長孔とされている。
そして、各長孔３１２にネジ３１３を挿入して、縦框２１にねじ込むことで、軸部材３１を縦框２１に固定している。
【００２９】
［軸部材の見込み方向の位置調整］
また、プレート３１０の縦框２１に対向する面には、縦框２１の上下方向（高さ方向）に沿った凹凸条（ギザ）３１５が形成されている。凹凸条３１５は、断面鋸波状に形成されている。
縦框２１には、前記凹凸条３１５と噛み合う凹凸条（ギザ）３３５が形成されたヒンジベース３３がネジ止めされている。
軸部材３１の凹凸条３１５と、ヒンジベース３３の凹凸条３３５とのかみ合わせ位置を変更することで、ヒンジベース３３つまり縦框２１に対して、軸部材３１の見込み方向（屋内外方向）の位置を変更できる。例えば、凹凸条３１５，３３５が１ｍｍピッチで加工されている場合、軸部材３１の屋内外方向の位置を１ｍｍずつ変更できる。
具体的には、前記ネジ３１３を緩めて、凹凸条３１５，３３５のかみ合わせを解除し、軸部材３１を見込み方向の所定位置に移動させてネジ３１３を締め付けて、再度凹凸条３１５，３３５をかみ合わせることで、軸部材３１の見込み方向の位置を調整する。
【００３０】
［軸受け部材の構成］
軸受け部材３５は、図４，６に示すように、軸受けプレート３５０と、軸受けプレート３５０にネジ止めされる蓋部材３６０とで構成されている。
軸受けプレート３５０は、側面略矩形状に形成され、上下方向の中間位置には屋内側に向かって開口する軸受け用の溝３５１が形成されている。また、溝３５１の上下の位置に長孔３５２，３５２が形成されている。これらの長孔３５２，３５２は、横軸回転窓２の見込み方向（屋内外方向）に沿って延長された長孔とされている。
そして、各長孔３５２にネジ３５３を挿入して、縦枠３にねじ込むことで、軸受け部材３５を縦枠３に固定している。
【００３１】
蓋部材３６０は、前記溝３５１の開口側、つまり前記軸受けプレート３５０の屋内側の面にネジ止めされている。従って、蓋部材３６０によって溝３５１の開口が塞がれ、回転軸３２０を回転自在に軸支する軸穴が形成される。
【００３２】
［軸受け部材の見込み方向の位置調整］
軸受けプレート３５０の縦枠３に対向する面には、縦枠３の上下方向（高さ方向）に沿った凹凸条（ギザ）３５５が形成されている。凹凸条３５５は、断面鋸波状に形成されている。
縦枠３には、前記凹凸条３５５と噛み合う凹凸条（ギザ）３８５が形成されたヒンジベース３８がネジ止めされている。
軸受け部材３５の凹凸条３５５と、ヒンジベース３８の凹凸条３８５とのかみ合わせ位置を変更することで、ヒンジベース３８つまり縦枠３に対して、軸受け部材３５の見込み方向（屋内外方向）の位置を変更できる。ここで、凹凸条３５５，３８５のピッチは、凹凸条３１５，３３５と同じであるため、軸受け部材３５は軸部材３１と同じ寸法ずつ見込み方向の位置を変更できる。
具体的には、前記ネジ３５３を緩めて、前記凹凸条３５５，３８５とのかみ合わせを解除し、軸受け部材３５を見込み方向の所定位置に移動させてネジ３５３を締め付けて、再度凹凸条３５５，３８５をかみ合わせることで、軸受け部材３５の見込み方向の位置を調整する。
【００３３】
以上のとおり、ヒンジ装置３０の軸部材３１および軸受け部材３５を、窓枠１０および障子２０に対して見込み方向に位置調整可能に取り付けることができる。このため、窓枠１０および障子２０の相対位置を変更することなく、障子２０の回転軸３２０の位置を見込み方向に調整できる。
具体的には、軸部材３１、軸受け部材３５は、前記長孔３１２，３５２の寸法の範囲内で移動でき、この範囲内において、前記凹凸条３１５，３３５，３５５，３８５のピッチ寸法毎に、障子２０の回転軸３２０の位置、つまり回転軸３２０の中心軸である軸心３２１の位置を調整することができる。
例えば、図４〜７は、障子２０の回転軸３２０を、前記長孔３１２，３５２の範囲内で最も屋内側に設けた状態を示す。また、図８，９は、障子２０の回転軸３２０を、前記長孔３１２，３５２の範囲内で最も屋外側に設けた状態を示す。ここで、縦框２１の屋外面から軸心３２１までの寸法は、図４の場合は寸法Ｌ１となり、図８の場合は寸法Ｌ２となり、Ｌ１＞Ｌ２の関係となる。
【００３４】
［障子の重心位置］
前記障子２０の重心２０１の高さ方向の位置は、障子２０の高さ方向の中心位置に設定されている。すなわち、障子２０には、先行技術文献のような錘は設けられていない。従って、障子２０の重量の大半は、複層ガラス２５の重量である。このため、複層ガラス２５の高さ方向の中心位置が、障子２０の重心２０１の高さ方向の位置に一致する。
なお、複層ガラス２５を保持する上框２３および下框２４におけるガラスの呑み込み寸法は、通常、同じ寸法に設定されるため、複層ガラス２５の高さ方向の中心位置は、障子２０のガラス開口における高さ方向の中心位置に一致する。障子２０のガラス開口の高さ方向の中心位置とは、複層ガラス２５を保持する上框２３の下端面から下框２４の上端面までの高さ寸法の中心位置である。つまり、複層ガラス２５の見え掛かり部分の高さ寸法の中心位置である。
また、障子２０の重心２０１の見込み方向の位置は、複層ガラス２５の間に配置される。
【００３５】
［障子の回転軸の軸心と重心との位置関係］
そして、本実施形態では、図１０に示すように、障子２０の回転軸３２０の軸心３２１は、障子２０の重心２０１と同じ高さ位置であり、かつ、重心２０１に対する見込み方向の位置を屋外側にずらした位置に設定されている。すなわち、前述のヒンジ装置３０の軸部材３１および軸受け部材３５の窓枠１０および障子２０に対する見込み方向の位置を調整することで、重心２０１に対する軸心３２１（回転軸３２０）の見込み方向の位置が調整されている。
なお、回転軸３２０の軸心３２１に対して重心２０１が屋内側に位置することで、障子２０には上端側が屋内側に移動する方向の回転モーメントＮが発生する。そして、回転軸３２０の軸心３２１および重心２０１間の距離が大きくなるほど、前記回転モーメントも大きくなる。そこで、本実施形態では、以下の条件を満足する位置に軸心３２１（回転軸３２０）を設定している。つまり、軸心３２１および重心２０１間の所定距離は以下の条件に基づいて設定している。
【００３６】
［障子の回転軸の軸心位置の条件］
（１）無風時に全開状態となること
無風時で横軸回転窓２の障子２０に風圧が加わっていない場合は、前記回転軸３２０の軸心３２１に対して重心２０１が屋内側に偏心していることによって、障子２０には回転モーメントＮが生じ、上端側が屋内側に移動する。この回転モーメントＮによって、障子２０が、少なくとも、前記戸当たり部材８に当接する位置まで回転するように、前記重心２０１と軸心３２１との位置関係（所定距離）が設定されている。本実施形態では、障子２０は閉鎖位置から戸当たり部材８に当接する位置まで４５度回転するように設定されている。
従って、横軸回転窓２の障子２０は、無風時には図１１に示す位置に自動的に回転し、横軸回転窓２を開放する。このため、横軸回転窓２を自然換気状態にできる。
【００３７】
（２）風速が閾値未満では全開状態を維持すること。
微風〜弱風の風が吹いた場合、すなわち、障子２０に加わる風圧が設定された閾値未満の場合に、障子２０を閉鎖方向に回転する力が加わる。この場合に、風圧によって障子２０を閉鎖方向に回転する回転モーメントよりも、前記軸心３２１および重心２０１の見込み方向の偏心によって障子２０を開放方向に回転する回転モーメントＮが大きくなるように、軸心３２１および重心２０１の間隔が所定距離に設定されている。
【００３８】
（３）風速が閾値以上では障子を閉鎖方向に回転すること。
中風〜強風の風が吹いて、障子２０に加わる風圧が設定された閾値以上となった場合に、その風圧によって障子２０を閉鎖方向に回転する回転モーメントが、前記軸心３２１および重心２０１の見込み方向の偏心によって障子２０を開放方向に回転する回転モーメントＮよりも大きくなるように、軸心３２１および重心２０１の間隔が所定距離に設定されている。
（３−１）正圧の場合
例えば、図１２に示すように、建物において横軸回転窓２（連窓１）が取り付けられた壁面に向かって風Ｗ１が吹いた場合、すなわち、横軸回転窓２の屋外側から屋内側に向かって風Ｗ１が吹いた場合、風上側に位置する障子２０の回転軸３２０よりも下側の部分に、屋外側から屋内側に向かう正圧が加わる。このため、障子２０は下半分が屋内側に向かって押され、閉鎖方向に回転する。この障子２０に加わる正圧は、風速が高くなるほど大きくなるため、風速が高くなると、障子２０の開放角度は小さくなる。そして、前記閾値よりも大きな所定の第２閾値以上の風が吹くと、障子２０は完全に閉鎖する。
（３−２）負圧の場合
同様に、図１３に示すように、建物において横軸回転窓２（連窓１）が取り付けられた壁面が風下側になる場合、横軸回転窓２には屋内側から屋外側に向かう風Ｗ２が吹き、負圧が加わる。この場合、風上側に位置する障子２０の回転軸３２０よりも上半分に、屋内側から屋外側に向かう負圧が加わる。このため、障子２０は上半分が屋外側に向かって押され、閉鎖方向に回転する。この障子２０に加わる負圧も、風速が高くなるほど大きくなるため、風速が高くなると、障子２０の開放角度は小さくなる。そして、前記閾値よりも大きな所定の第２閾値以上の風が吹くと、障子２０は完全に閉鎖する。
【００３９】
［風速と障子角度との関係］
ここで、風速と障子２０の角度との関係を、軸心３２１および重心２０１間の距離が異なる２つの横軸回転窓２で実験した結果を図１４に示す。
図１４において、折れ線１０１は、軸心３２１を屋内側に設定して、軸心３２１および重心２０１間の距離を短くした第１の横軸回転窓２の実験結果である。一方、折れ線１０２は、第１の横軸回転窓２に比べて、軸心３２１を屋外側に設定して、軸心３２１および重心２０１間の距離を長くした第２の横軸回転窓２の実験結果である。
このため、第１の横軸回転窓２は、第２の横軸回転窓２に比べて、重心２０１による回転モーメントが小さくなる。
従って、折れ線１０１は、折れ線１０２に比べて、より小さな風速で障子２０が閉鎖方向に移動し、障子２０の開放角度も小さくなる。そして、障子２０が全閉状態となる風速も折れ線１０２に比べて小さくなる。
一方、折れ線１０２は、折れ線１０１に比べて、より大きな風速とならないと障子２０が閉鎖方向に移動しない。風速の高まりとともに、障子２０の開放角度も小さくなる。そして、障子２０が全閉状態となる風速も前記折れ線１０１に比べて大きくなり、より大きな風速にならないと障子２０が全閉状態とならない。
【００４０】
このような本実施形態によれば、以下のような効果がある
（１）横軸回転窓２において、ヒンジ装置３０を窓枠１０および障子２０に対して見込み方向の位置を調整可能とし、窓枠１０および障子２０の相対位置を変更することなく、障子２０の軸心３２１のみを見込み方向（屋内外方向）に調整できる。
また、障子２０の軸心３２１を障子２０の高さ方向の中心位置に設定している。このため、障子２０の回転軸３２０の軸心３２１は、障子２０の重心２０１と同じ高さ位置に設定され、かつ、ヒンジ装置３０の移動によって軸心３２１および重心２０１間の距離を調整できる。従って、障子２０は、重心２０１と軸心３２１とが見込み方向に偏心していることで、障子２０を開放する方向の回転モーメントが発生し、微風から弱風程度の閾値未満の風速であれば、障子２０が戸当たり部材８に当接する角度まで障子２０を自動的に開くことができ、自然換気を実現できる。
さらに、障子２０は、軸心３２１を障子２０の高さ方向の中心位置に設定しているため、障子２０において軸心３２１よりも上側の面積と、下側の面積とをほぼ同じ面積に設定できる。このため、中風から強風程度の前記閾値以上の風速の風が屋外側から屋内側に吹いている場合（正圧の場合）と、屋内側から屋外側に吹いている場合（負圧の場合）のいずれにおいても、障子２０が自動的に閉鎖するように設定でき、強い風が横軸回転窓２から吹き込んだり、吹き出すことを自動的に防止できる。
従って、本実施形態の横軸回転窓２を建物の自然換気計画に応じて配置することで、良好な自然換気状態を保つことができる。
【００４１】
（２）また、風速が高まると障子２０の開放角度が自動的に小さくなり、さらに風速が第２閾値以上となると障子２０を自動的に全閉状態にできる。このため、過剰な換気を抑制できて屋内の気流状態を良好に保つことができる。
さらに、過剰な換気抑制のために特殊な換気装置を設ける必要が無く、横軸回転窓２のコストも低減できる。
【００４２】
（３）障子２０に錘を設ける必要が無いため、横軸回転窓２の美観を向上できる。さらに、障子２０を軽量化できるため、横軸回転窓２の耐久性や施工性を向上でき、コストも低減できる。
【００４３】
（４）窓枠１０および障子２０に対して、ヒンジ装置３０の見込み方向の位置を調整可能としているので、障子２０が閉鎖し始める風速（閾値）や全閉状態となる風速（第２閾値）の設定を調整することができる。従って、１種類の横軸回転窓２で機能選択が可能となり、建物に横軸回転窓２を施工した後でも前記設定を切り替えることができる。このため、施工した建物の環境などに応じて、施工後に横軸回転窓２の機能を微調整することもでき、建物に適した自然換気状態を良好に維持できる。
【００４４】
（５）ヒンジ装置３０は、軸部材３１、軸受け部材３５にそれぞれ凹凸条３１５，３５５を形成し、縦枠３，４、方立７や縦框２１、２２に取り付けたヒンジベース３３，３８の凹凸条３３５，３８５に係合させることで位置調整している。このため、軸部材３１、軸受け部材３５を、簡単な構造で、かつ、一定ピッチ毎に正確に位置調整することができる。このため、障子２０に組み込まれるガラスの厚さ寸法が異なる場合や、単板ガラスが組み込まれる場合のように、障子２０において重心２０１の位置が変更した場合も、重心２０１の位置に応じてヒンジ装置３０の見込み方向の位置を容易に調整でき、かつ、回転モーメントの大きさも設定したい値に適切に設定できる。
【００４５】
［第２実施形態］
次に、本発明の第２実施形態を図面に基づいて説明する。なお、第１実施形態と同一の構成については、同一符号を付して説明を適宜省略する。図１５は、本発明の第２実施形態に係る横軸回転窓２Ｂを用いた連窓１Ｂを屋内側から見た図であり、図１６は図１５のＤ−Ｄ線に沿った平断面図である。
横軸回転窓２Ｂは、第１実施形態の横軸回転窓２に対して、障子２０の閉鎖を規制する規制装置４０を追加した点が相違する。その他の構成は、第１実施形態と同一であるため、説明を省略する。
【００４６】
規制装置４０は、窓枠１０の方立７に固定されたストッパー受け部材４１と、障子２０に取り付けられたストッパー部材４５とを備えて構成されている。
ストッパー受け部材４１は、図１６〜１８に示すように、方立７の見込み面に固定された固定部４１１と、固定部４１１から見付け方向に延長された受け部４１２とを備えた略Ｌ字状のブラケットで構成されている。
【００４７】
ストッパー部材４５は、縦框２１、２２に固定された略Ｌ字状の支持ブラケット４６と、支持ブラケット４６に一端側が支持され、横軸回転窓２Ｂの見付け方向に沿って配置された横軸材４７と、横軸材４７に対して回動自在に取り付けられた補助翼ストッパー４８と、補助翼ストッパー４８の抜け止めを行うＥリングなどの止め輪４９とを備えている。
【００４８】
補助翼ストッパー４８は、ストッパー本体４８１と、風受け部である補助翼４８２とを備えている。ストッパー本体４８１は、図１８に示すように、前記横軸材４７に軸支される支持部４８５，４８６と、各支持部４８５，４８６間を連結する円弧状の湾曲部４８７と、一方の支持部４８６から屋内側に向かって延長された当接部４８８とを備えて構成されている。
【００４９】
補助翼４８２は、薄板材で構成されて、湾曲部４８７の内周面に沿って湾曲されて湾曲部４８７に取り付けられている。この補助翼４８２はストッパー本体４８１から下方に延長して設けられている。このため、補助翼ストッパー４８は、無風状態では補助翼４８２の自重によって補助翼４８２が垂直に沿った姿勢となる。一方、風が補助翼４８２に当たると、補助翼ストッパー４８が横軸材４７に対して回動する。
【００５０】
［補助翼ストッパー４８の配置位置］
（障子閉鎖位置：回転角度０度の場合）
障子２０が閉鎖位置にある場合の補助翼ストッパー４８の状態を図１７に２点鎖線で示す。この場合、補助翼ストッパー４８は、当接部４８８が前記ストッパー受け部材４１の受け部４１２の上方に位置する位置に設けられている。
（障子開放位置：回転角度４５度の場合）
障子２０が開放位置にあり、かつ、無風時の補助翼ストッパー４８の状態を、図１７に実線で示す。この場合、補助翼ストッパー４８の当接部４８８は、高さ方向の位置が受け部４１２の上方であり、かつ、見込み方向の位置が受け部４１２の屋外側に位置するように設けられている。
ストッパー部材４５は、以上の条件を満たすように、軸部材３１の軸心３２１に対して所定の位置に取り付けられている。
【００５１】
［正圧時の閉鎖動作］
横軸回転窓２Ｂの障子２０が全開状態（障子角度４５度）のときに、屋外側から屋内側に向かって風が吹いた場合、図１９に示すように、ストッパー部材４５の補助翼４８２にも屋外側から屋内側に向かう風（正圧）があたる。このため、ストッパー部材４５は、図１９に示すように、横軸材４７を回動中心として補助翼４８２が屋内側に移動する方向に回転する。このため、ストッパー部材４５は二点鎖線で示す位置に移動し、当接部４８８は受け部４１２から離れる方向に移動する。このため、ストッパー部材４５の当接部４８８が受け部４１２に当接することがなく、障子２０は前記正圧によって第１実施形態と同様に閉鎖方向に回転する。
【００５２】
［負圧時の閉鎖動作］
横軸回転窓２Ｂの障子２０が全開状態（障子角度４５度）のときに、屋内側から屋外側に向かって風が吹いた場合、図２０に示すように、ストッパー部材４５の補助翼４８２にも屋内側から屋外側に向かう風（負圧）があたる。このため、ストッパー部材４５は、図２０に示すように、横軸材４７を回動中心として補助翼４８２が屋外側に移動する方向に回転する。このため、ストッパー部材４５は二点鎖線で示す位置に移動し、当接部４８８は受け部４１２に当接する高さ位置に移動する。このため、障子２０が負圧によって閉鎖方向に回転すると、当接部４８８が受け部４１２に当接し、障子２０はそれ以上閉鎖方向に回転できなくなる。
【００５３】
従って、第２実施形態の横軸回転窓２Ｂは、無風あるいは微風から弱風の場合は、前記第１実施形態と同じく、障子２０は自動的に開放状態に移動し、自然換気状態となる。
また、障子２０に対して屋外側から屋内側への中風から強風の風（正圧）が加わった場合も、第１実施形態と同じく、障子２０は自動的に閉鎖方向に回転し、屋内への風の吹き込みを防止する。
一方、障子２０に対して屋内側から屋外側への中風から強風の風（負圧）が加わった場合は、第１実施形態と異なり、前記規制装置４０のストッパー部材４５がストッパー受け部材４１に当接することで、障子２０は閉鎖方向に回転できなくなる。このため、障子２０は開放状態のままであり、屋内から屋外への風によって換気（排気）が行われる。
【００５４】
［第２実施形態の効果］
このような第２実施形態の横軸回転窓２Ｂによれば、前記第１実施形態の横軸回転窓２と同じ構成を備えることで同じ作用効果を奏することができる。
また、規制装置４０を設けたので、屋外側から屋内側に風が吹いた場合（正圧の場合）には障子２０を閉鎖方向に回転できる一方で、屋内側から屋外側に風が吹いた場合（負圧の場合）には障子２０の閉鎖方向への回転を規制できる。従って、建物において、屋内から屋外に換気（排気）を行うために、負圧時は障子２０を開放状態に維持する必要がある場合に適した横軸回転窓２Ｂを提供できる。
【００５５】
さらに、規制装置４０のストッパー受け部材４１およびストッパー部材４５は、構造が簡単であり、かつ、正圧および負圧時のストッパー部材４５の作動の違いのみで閉鎖許可状態（正圧時）と、開放維持状態（負圧時）とを選択できる。従って、規制装置４０は、電動機構などを必要としないため、低コストで構成でき、かつ、風圧のみで動作するため停電時などにおいても確実に作動させることができる。
その上、補助翼４８２は平断面形状が屋外側に湾曲した形状であるため、特に負圧時には弱い風圧でもストッパー部材４５を確実に回転できる。このため、負圧時には障子２０の閉鎖方向への移動を確実に規制できる。
【００５６】
［第３実施形態］
次に、本発明の第３実施形態の横軸回転窓２Ｃを図２１，２２に基づいて説明する。第２実施形態では、負圧時に障子２０を開放状態に維持する規制装置４０を設けていたが、第３実施形態では、正圧時に障子２０を開放状態に維持する規制装置５０を設けたものである。従って、第２実施形態と同一の構成については、同一符号を付して説明を適宜省略するとともに、規制装置５０に関してのみ説明する。
【００５７】
規制装置５０は、窓枠１０の方立７に固定されたストッパー受け部材５１と、障子２０に取り付けられたストッパー部材５５とを備えて構成されている。
ストッパー受け部材５１は、方立７の見込み面に固定された固定部５１１と、固定部５１１から見付け方向に延長された受け部５１２とを備えた略Ｌ字状のブラケットで構成されている。
【００５８】
ストッパー部材５５は、縦框２１、２２に固定された略Ｌ字状の支持ブラケット５６と、支持ブラケット５６に一端側が支持され、横軸回転窓２Ｃの見付け方向に沿って配置された横軸材５７と、横軸材５７に対して回動自在に取り付けられた補助翼ストッパー５８と、補助翼ストッパー５８の抜け止めを行う図示略のＥリングなどの止め輪とを備えている。
【００５９】
補助翼ストッパー５８は、ストッパー本体５８１と、風受け部である補助翼５８２とを備えている。ストッパー本体５８１は、図２１に示すように、前記横軸材５７に軸支される２つの支持部５８５，５８６と、２つの支持部５８５間を連結する円弧状の湾曲部５８７と、一方の支持部５８６から屋外側に向かって延長されて下面に係止用の溝が形成された当接部５８８とを備えて構成されている。
【００６０】
ここで、補助翼ストッパー５８の支持部５８５，５８６と、湾曲部５８７、補助翼５８２は、第２実施形態の補助翼ストッパー４８の支持部４８５，４８６、湾曲部４８７、補助翼４８２と同じ構成である。従って、補助翼ストッパー５８は、無風状態では補助翼５８２の自重によって補助翼５８２が垂直に沿った姿勢となる。一方、風が補助翼５８２に当たると、補助翼ストッパー５８が横軸材５７に対して回動する。
【００６１】
［補助翼ストッパー５８の配置位置］
（障子閉鎖位置：回転角度０度の場合）
障子２０が閉鎖位置にある場合の補助翼ストッパー５８は、図示を略するが、当接部５８８が前記ストッパー受け部材５１の受け部５１２の上方に位置する位置に設けられている。
（障子開放位置：回転角度４５度の場合）
障子２０が開放位置にあり、かつ、無風時の補助翼ストッパー５８の状態を、図２１、２２に実線で示す。この場合、補助翼ストッパー５８の当接部５８８は、高さ方向の位置が受け部５１２の上方であり、前記当接部５８８の溝に受け部５１２が係止されない位置に設けられている。
ストッパー部材５５は、以上の条件を満たすように、軸部材３１の軸心３２１に対して所定の位置に取り付けられている。
【００６２】
［正圧時の閉鎖動作］
横軸回転窓２Ｃの障子２０が全開状態（障子角度４５度）のときに、屋外側から屋内側に向かって風が吹いた場合、図２１に示すように、ストッパー部材５５の補助翼５８２にも屋外側から屋内側に向かう風（正圧）があたる。このため、ストッパー部材５５は、図２１に示すように、横軸材５７を回動中心として補助翼５８２が屋内側に移動する方向に回転する。このため、ストッパー部材５５は二点鎖線で示す位置に移動し、当接部５８８は下側、つまり受け部５１２側に移動する。よって、ストッパー部材５５の当接部５８８の溝内に、受け部５１２が配置される。このため、障子２０が正圧によって閉鎖方向に回転すると、当接部５８８が受け部５１２に当接し、障子２０はそれ以上閉鎖方向に回転できなくなる。
【００６３】
［負圧時の閉鎖動作］
横軸回転窓２Ｃの障子２０が全開状態（障子角度４５度）のときに、屋内側から屋外側に向かって風が吹いた場合、図２２に示すように、ストッパー部材５５の補助翼５８２にも屋内側から屋外側に向かう風（負圧）があたる。このため、ストッパー部材５５は、図２２に示すように、横軸材５７を回動中心として補助翼５８２が屋外側に移動する方向に回転する。このため、ストッパー部材５５は二点鎖線で示す位置に移動し、当接部５８８は受け部４１２から離れる方向（上側）に移動する。このため、障子２０が負圧によって閉鎖方向に回転しても、当接部５８８が受け部５１２に当接することがなく、障子２０は前記負圧によって第１実施形態と同様に閉鎖方向に回転する。
【００６４】
従って、第３実施形態の横軸回転窓２Ｃは、無風あるいは微風から弱風の場合は、前記第１、２実施形態と同じく、障子２０は自動的に開放状態に移動し、自然換気状態となる。
また、障子２０に対して屋内側から屋外側への中風から強風の風（負圧）が加わった場合も、第１実施形態と同じく、障子２０は自動的に閉鎖方向に回転し、屋内への風の吹き込みを防止する。
一方、障子２０に対して屋外側から屋内側への中風から強風の風（正圧）が加わった場合は、第１，２実施形態と異なり、前記規制装置５０のストッパー部材５５がストッパー受け部材５１に当接することで、障子２０は閉鎖方向に回転できなくなる。このため、障子２０は開放状態のままであり、屋外から屋内への風によって換気（吸気）が行われる。
【００６５】
［第３実施形態の効果］
このような第３実施形態の横軸回転窓２Ｃによれば、前記横軸回転窓２，２Ｂと同じ構成を備えることで同じ作用効果を奏することができる。
また、規制装置５０を設けたので、屋内側から屋外側に風が吹いた場合（負圧の場合）には障子２０を閉鎖方向に回転できる一方で、屋外側から屋内側に風が吹いた場合（正圧の場合）には障子２０の閉鎖方向への回転を規制できる。従って、建物において、屋外から屋内に換気（吸気）を行うために、正圧時に障子２０を開放状態に維持する必要がある場合に適した横軸回転窓２Ｃを提供できる。
【００６６】
さらに、規制装置５０のストッパー受け部材５１およびストッパー部材５５は、前記規制装置４０と同じく構造が簡単であり、かつ、正圧および負圧時のストッパー部材４５の作動の違いのみで閉鎖許可状態（負圧時）と、開放維持状態（正圧時）とを選択できる。従って、規制装置５０は、電動機構などを必要としないため、低コストで構成でき、かつ、確実に作動させることができる。
その上、補助翼５８２は平断面形状が屋内側に湾曲した形状であるため、特に正圧時には弱い風圧でもストッパー部材４５を確実に回転できる。このため、正圧時には障子２０の閉鎖方向への移動を確実に規制できる。
【００６７】
［第４実施形態］
次に、本発明の第４実施形態の横軸回転窓２Ｄを図２３〜２７に基づいて説明する。第４実施形態の横軸回転窓２Ｄは、負圧時に障子２０の回動を規制する点で第２実施形態の横軸回転窓２Ｂに類似するが、前記負圧時の風速が設定値以上になると前記回動規制を解除する規制装置４０を有する点で相違する。従って、第２実施形態と同一の構成については、同一符号を付して説明を適宜省略する。
【００６８】
第４実施形態の規制装置６０は、障子２０に取り付けられたストッパー部材４５と、縦枠３の見込み面に固定された固定プレート６２と、固定プレート６２に対して回動自在に取り付けられたストッパー受け部材６１と、ストッパー受け部材６１を屋外側に付勢する付勢手段６３と、付勢手段６３の付勢力を調整する調整手段６５とを備える。この付勢手段６３および調整手段６５で規制解除装置が構成されている。
【００６９】
固定プレート６２は、板材を折り曲げて構成され、水平な第１支持部６２１と、傾斜した第２支持部６２５とを備えている。第１支持部６２１には、対向する一対の支持壁を備える支持ベース６２２が固定されている。支持ベース６２２の一対の支持壁には、前記ストッパー受け部材６１が回動可能に取り付けられている。
ストッパー受け部材６１は、Ｌ字状に折り曲げられて構成され、図２４に示すように、受け部６１１が垂直方向に沿って配置されている。この受け部６１１は、屋内側に倒れる方向には回転できるが、屋外側に倒れる方向には回転できないように構成されている。
【００７０】
［付勢手段］
第２支持部６２５には、付勢手段６３が取り付けられている。
付勢手段６３は、ケース６３１と、当接体６３２と、コイルバネ６３３と、バネ押さえ６３４とを備えている。
ケース６３１は、板材を折曲して構成され、第２支持部６２５に固定される底部６３１１と、底部６３１１の屋外側から折り曲げられた前壁部６３１２と、底部６３１１の屋内側から折り曲げられた後壁部６３１３と、底部６３１１の両側面から折り曲げられた側壁部６３１４とを備える。
当接体６３２は、前壁部６３１２を貫通して進退可能に設けられている。そして、当接体６３２は、受け部６１１に当接する当接部６３２１と、コイルバネ６３３の先端側が当接するガイド板６３２２とを備える。バネ押さえ６３４は、コイルバネ６３３の後端側に当接して配置されている。
【００７１】
［調整手段］
調整手段６５は、２つのナット６５２と、ナット６５２にねじ込まれるネジ６５１とで構成され、ケース６３１の後壁部６３１３に取り付けられている。ネジ６５１の先端は前記バネ押さえ６３４に当接する。従って、ナット６５２に対するネジ６５１の締め付け位置を変更すると、バネ押さえ６３４の屋内外方向つまりコイルバネ６３３の軸方向の位置を調整できる。よって、当接体６３２およびバネ押さえ６３４間に配置されるコイルバネ６３３の圧縮状態をネジ６５１で調整できる。このため、当接体６３２に加わる付勢力をネジ６５１で調整できる。具体的には、後述するように、負圧時に第１風速の風が当たった際にストッパー部材４５からストッパー受け部材６１に加わる力よりも、前記付勢力によってストッパー受け部材６１に加わる力が小さくなるように設定している。
【００７２】
ストッパー部材４５は、図２３，２４に示すように、第２実施形態と同様の構成であるため、同一符号を付して説明を省略する。
【００７３】
［規制装置６０の動作］
（障子閉鎖位置：回転角度０度の場合）
障子２０が閉鎖位置にある場合は、前記第２実施形態と同じく、ストッパー部材４５は、図２３，２４の２点鎖線で示すように、当接部４８８がストッパー受け部材６１の上方に位置する。このため、障子２０が開放方向に回転する場合に、規制装置６０はその移動を妨げない。
（障子開放位置：回転角度４５度の場合）
障子２０が開放位置にあり、かつ、無風時のストッパー部材４５は、図２３，２４の実線で示す状態となる。すなわち、補助翼ストッパー４８の当接部４８８は、高さ方向の位置が受け部６１１の上方であり、かつ、見込み方向の位置が受け部６１１の屋外側に位置するように設けられている。
ストッパー部材４５は、以上の条件を満たすように、軸部材３１の軸心３２１に対して所定の位置に取り付けられている。
【００７４】
［正圧時の動作（閉鎖動作）］
横軸回転窓２Ｄの障子２０が全開状態（障子角度４５度）のときに、屋外側から屋内側に向かって風が吹いた場合は、第２実施形態と同じく、ストッパー部材４５は補助翼４８２が屋内側に移動する方向に回転する。このため、ストッパー部材４５の当接部４８８が受け部６１１に当接することがなく、障子２０は前記正圧によって第２実施形態と同様に閉鎖方向に回転する。
【００７５】
［負圧時の動作（回転規制状態）］
横軸回転窓２Ｄの障子２０が全開状態（障子角度４５度）のときに、屋内側から屋外側に向かって風が吹いた場合、図２５に示すように、ストッパー部材４５の補助翼４８２にも屋内側から屋外側に向かう風（負圧）があたる。このため、ストッパー部材４５は、図２５に示すように、横軸材４７を回動中心として補助翼４８２が屋外側に移動する方向に回転する。このため、ストッパー部材４５の当接部４８８はストッパー受け部材６１の受け部６１１に当接する。この際、受け部６１１にはコイルバネ６３３で付勢された当接体６３２が当接している。
このため、前記風の風速が第１風速未満であるために、当接部４８８によって受け部６１１に加わる力が、当接体６３２およびコイルバネ６３３によって受け部６１１に加わる力よりも小さい状態では、当接部４８８が受け部６１１に当接した状態を維持する。従って、障子２０はそれ以上閉鎖方向に回転できなくなる。
【００７６】
［負圧時の動作（回転規制状態の解除）］
一方、前記風の風速が第１風速以上となって、当接部４８８によって受け部６１１に加わる力が、当接体６３２およびコイルバネ６３３によって受け部６１１に加わる力よりも大きい場合は、図２６に示すように、当接体６３２が屋内側に後退し、ストッパー受け部材６１も回転する。このため、当接部４８８が受け部６１１に当接する位置が屋内側に移動する分、障子２０は閉鎖方向に回転する。
さらに、当接体６３２が屋内側に後退し、ストッパー受け部材６１が回転すると、図２７に示すように、ストッパー受け部材６１からストッパー部材４５が外れて障子２０の回転規制が解除される。このため、障子２０は、負圧の風によって閉鎖方向に回転する。
【００７７】
従って、第４実施形態の横軸回転窓２Ｄは、無風の場合は、前記第２実施形態と同じく、障子２０は自動的に開放状態に移動し、自然換気状態となる。
また、障子２０に対して屋外側から屋内側に、微風から弱風の風（正圧）が加わった場合、前記正圧による回転モーメントが、軸心３２１および重心２０１の偏心による回転モーメントよりも小さい場合は、障子２０は開放状態を維持する。
さらに、障子２０に対して屋外側から屋内側に、中風から強風の風（正圧）が加わった場合は、規制装置６０は障子２０の回転を規制しないので、第２実施形態と同じく、障子２０は自動的に閉鎖方向に回転し、屋内への風の吹き込みを防止する。
【００７８】
一方、障子２０に対して屋内側から屋外側に、微風から弱風の風（負圧）が加わった場合、前記負圧による回転モーメントが、軸心３２１および重心２０１の偏心による回転モーメントよりも小さい場合は、障子２０は開放状態を維持する。
また、障子２０に対して屋内側から屋外側に、弱風から中風程度の風（負圧）が加わった場合は、第２実施形態と同様に、前記規制装置６０のストッパー部材４５がストッパー受け部材６１に当接するため、障子２０は閉鎖方向に回転できなくなる。このため、障子２０は開放状態のままであり、屋内から屋外への風によって換気（排気）が行われる。
さらに、障子２０に対して屋内側から屋外側に、中風から強風程度の風（負圧）が加わり、付勢手段６３によってストッパー受け部材６１に加わる力よりも、ストッパー部材４５によってストッパー受け部材６１に加わる力が大きいと、当接体６３２が後退してストッパー受け部材６１が回転し、ストッパー部材４５がストッパー受け部材６１から外れるため、障子２０は閉鎖方向に回転する。
【００７９】
図２８には、調整手段６５による付勢手段６３の付勢力を２段階に変化させた場合の負圧時の風速と障子２０の角度との関係を実験した結果を折れ線１１１，１１２で示す。なお、規制装置を設けない第１実施形態の実験結果を折れ線１１３で示し、第２実施形態の規制装置４０を設けた場合の実験結果を折れ線１１４で示す。なお、これらの実験は、軸心３２１および重心２０１間の距離等の他の条件は同じ横軸回転窓を用いている。
負圧時に障子２０の回転を規制する規制装置４０を設けた場合、折れ線１１４に示すように、障子２０は全開状態（角度４５度）のまま維持される。また、障子２０の回転を規制する規制装置が無い場合、折れ線１１３に示すように、負圧による回転モーメントが重心２０１による回転モーメントを上回る点１１３Ａの風速を超えると、障子２０は閉鎖方向に回転し、障子角度も順次小さくなる。
また、負圧時に障子２０の回転を規制する規制装置６０を設けた場合、折れ線１１１、１１２に示すように、風速が低い場合、障子２０は全開状態（角度４５度）のまま維持されるが、当接体６３２を後退させる風速（折れ線１１１では点１１１Ａの風速であり、折れ線１１２では点１１２Ａの風速）を上回ると、ストッパー受け部材６１からストッパー部材４５が外れて障子２０は閉鎖方向に回転し、障子角度も順次小さくなる。
【００８０】
［第４実施形態の効果］
このような第４実施形態の横軸回転窓２Ｄによれば、前記第２実施形態の横軸回転窓２Ｂと同じ構成を備えることで同じ作用効果を奏することができる。
また、規制装置６０として、負圧時の風速が大きくなった場合にストッパーを解除する規制解除装置（付勢手段６３、調整手段６５）を設けたので、負圧時の風速が所定値以上に達した際に障子２０を自動的に閉鎖できる。このため、風速が強い場合の過剰な換気を防止できる。
【００８１】
さらに、付勢手段６３の付勢力を調整する調整手段６５を設けたので、ストッパーを解除する際の風速を任意に設定できる。このため、建物における横軸回転窓２Ｄの設置位置に応じた自然換気計画を実現でき、良好な自然換気状態を維持できる。
【００８２】
［第５実施形態］
次に、本発明の第５実施形態の横軸回転窓２Ｅを図２９〜３３に基づいて説明する。第５実施形態の横軸回転窓２Ｅは、正圧時に障子２０の回動を規制する点で第３実施形態の横軸回転窓２Ｃに類似するが、前記正圧が設定値以上になると前記回動規制を解除する規制装置７０を有する点で相違する。なお、規制装置７０は第４実施形態の規制装置６０に機能上は類似するものである。従って、第３実施形態や第４実施形態と同様の構成については、同一符号を付して説明を適宜省略する。
【００８３】
第５実施形態の規制装置７０は、障子２０に取り付けられたストッパー部材５５と、縦枠３の見込み面に固定された固定プレート６２と、固定プレート６２に対して回動自在に取り付けられたストッパー受け部材７１と、ストッパー受け部材７１を屋外側に付勢する付勢手段６３と、付勢手段６３の付勢力を調整する調整手段６５とを備える。
【００８４】
固定プレート６２は、第２支持部６２５の幅寸法が短い点が第４実施形態の固定プレート６２と相違する。第１支持部６２１には、対向する一対の支持壁を備える支持ベース６２２が固定されている。支持ベース６２２は、第４実施形態とは幅寸法は異なるが同じ構造であり、支持ベース６２２の一対の支持壁には、前記ストッパー受け部材７１が回動可能に取り付けられている。
【００８５】
ストッパー受け部材７１は、Ｌ字状に折り曲げられて構成され、図３０に示すように、受け部７１１が垂直方向に沿って配置されている。この受け部７１１は、屋内側に倒れる方向には回転できるが、屋外側に倒れる方向には回転できないように構成されている。
【００８６】
付勢手段６３、調整手段６５は、第４実施形態と同じ構成であるため、説明を省略する。また、ストッパー部材５５は、図２９，３０に示すように、第３実施形態と同様の構成であるため、同一符号を付して説明を省略する。
【００８７】
［規制装置７０の動作］
（障子閉鎖位置：回転角度０度の場合）
障子２０が閉鎖位置にある場合は、前記第３実施形態と同じく、ストッパー部材５５は、図２９の２点鎖線で示すように、当接部５８８がストッパー受け部材７１の上方に位置する。このため、障子２０が開放方向に回転する場合に、規制装置７０はその移動を妨げない。
（障子開放位置：回転角度４５度の場合）
障子２０が開放位置にあり、かつ、無風時のストッパー部材５５は、図２９，３０の実線で示す状態となる。すなわち、補助翼ストッパー５８の当接部５８８は、高さ方向の位置が受け部７１１の上方に位置し、当接部５８８の溝内に受け部７１１は配置されていない。
ストッパー部材５５は、以上の条件を満たすように、軸部材３１の軸心３２１に対して所定の位置に取り付けられている。
【００８８】
［正圧時の動作（回転規制状態）］
横軸回転窓２Ｅの障子２０が全開状態（障子角度４５度）のときに、屋外側から屋内側に向かって風が吹いた場合、図３１に示すように、ストッパー部材５５の補助翼５８２にも屋外側から屋内側に向かう風（正圧）があたる。このため、ストッパー部材５５は、図３１に示すように、横軸材５７を回動中心として補助翼５８２が屋内側に移動する方向に回転する。このため、ストッパー部材５５の当接部５８８は下側、つまりストッパー受け部材７１側に移動する。このため、ストッパー部材５５の当接部５８８の溝内に、受け部７１１が配置される。このため、障子２０が正圧によって閉鎖方向に回転すると、当接部５８８がストッパー受け部材７１に当接する。この際、受け部７１１にはコイルバネ６３３で付勢された当接体６３２が当接している。
このため、前記風の風速が第１風速未満であるために、当接部５８８によって受け部７１１に加わる力が、当接体６３２およびコイルバネ６３３によって受け部７１１に加わる力よりも小さい状態では、当接部４８８が受け部７１１に当接した状態を維持する。従って、障子２０は閉鎖方向に回転できなくなる。
【００８９】
［正圧時の動作（回転規制状態の解除）］
一方、前記風の風速が第１風速以上となって、当接部５８８によって受け部７１１に加わる力が、当接体６３２およびコイルバネ６３３によって受け部７１１に加わる力よりも大きい場合は、図３２に示すように、当接体６３２が屋内側に後退し、ストッパー受け部材７１も回転する。このため、当接部５８８が受け部７１１に当接する位置が屋内側に移動する分、障子２０は閉鎖方向に回転する。
さらに、当接体６３２が屋内側に後退し、ストッパー受け部材７１が回転すると、図３３に示すように、ストッパー受け部材７１からストッパー部材５５が外れて障子２０の回転規制が解除される。このため、障子２０は、正圧の風によって閉鎖方向に回転する。
【００９０】
［負圧時の閉鎖動作］
横軸回転窓２Ｅの障子２０が全開状態（障子角度４５度）のときに、屋内側から屋外側に向かって風が吹いた場合は、第３実施形態と同じく、ストッパー部材５５は、横軸材５７を回動中心として補助翼５８２が屋外側に移動する方向に回転する。このため、当接部５８８は受け部７１１から離れる方向（上側）に移動する。このため、障子２０が負圧によって閉鎖方向に回転しても、当接部５８８がストッパー受け部材７１に当接することがなく、障子２０は前記負圧によって第３実施形態と同様に閉鎖方向に回転する。
【００９１】
従って、第５実施形態の横軸回転窓２Ｅは、無風の場合は、前記第３実施形態と同じく、障子２０は自動的に開放状態に移動し、自然換気状態となる。
また、障子２０に対して屋内側から屋外側に、微風から弱風の風（負圧）が加わった場合、前記負圧による回転モーメントが、軸心３２１および重心２０１の偏心による回転モーメントよりも小さい場合は、障子２０は開放状態を維持する。
さらに、障子２０に対して屋内側から屋外側に、中風から強風の風（負圧）が加わった場合は、規制装置７０は障子２０の回転を規制しないので、第３実施形態と同じく、障子２０は自動的に閉鎖方向に回転し、屋外への風の吹き出しを防止する。
【００９２】
一方、障子２０に対して屋外側から屋内側に、微風から弱風の風（正圧）が加わった場合、前記正圧による回転モーメントが、軸心３２１および重心２０１の偏心による回転モーメントよりも小さい場合は、障子２０は開放状態を維持する。
また、障子２０に対して屋外側から屋内側に、弱風から中風程度の風（正圧）が加わった場合は、第３実施形態と同様に、前記規制装置７０のストッパー部材５５がストッパー受け部材７１に当接するため、障子２０は閉鎖方向に回転できなくなる。このため、障子２０は開放状態のままであり、屋外から屋内への風によって換気が行われる。
さらに、障子２０に対して屋外側から屋内側に、中風から強風程度の風（正圧）が加わり、付勢手段６３によってストッパー受け部材７１に加わる力よりも、ストッパー部材５５によってストッパー受け部材７１に加わる力が大きいと、当接体６３２が後退して受け部７１１が回転し、ストッパー部材５５がストッパー受け部材７１から外れるため、障子２０は閉鎖方向に回転する。
【００９３】
［第５実施形態の効果］
このような第５実施形態の横軸回転窓２Ｅによれば、前記第３実施形態の横軸回転窓２Ｃと同じ構成を備えることで同じ作用効果を奏することができる。
また、規制装置７０として、正圧時の風速が大きくなった場合にストッパーを解除する規制解除装置を設けたので、正圧時の風速が所定値以上に達した際に障子２０を自動的に閉鎖できる。このため、風速が強い場合の過剰な換気を防止できる。
【００９４】
さらに、調整手段６５を設けたので、ストッパーを解除する際の風速を任意に設定できる。このため、建物における横軸回転窓２Ｅの設置位置に応じた自然換気計画を実現でき、良好な自然換気状態を維持できる。
【００９５】
本発明は、以上に説明した実施形態に限定されず、本発明の目的を達成できる範囲での変形例等は、本発明に含まれる。
前記各実施形態において、障子２０を電動で開閉する機構を追加してもよい。この電動開閉機構は、横軸回転窓用として従来から用いられている機構を採用できる。このような電動開閉機構を備えていれば、無風時にも横軸回転窓を強制的に閉鎖状態として施錠することもできる。さらに、雨を検知するセンサを設ければ、雨が降ってきた際に横軸回転窓を強制的に閉鎖状態にでき、雨の吹き込みを防止できる。
【００９６】
ヒンジ装置３０の構成は、前記軸部材３１、軸受け部材３５に限定されず、窓枠１０に対して障子２０を回転自在に軸支できる構成であればよい。また、ヒンジ装置３０を見込み方向の位置を調整可能にする構成は、前記凹凸条３１５，３３５，３５５，３８５を用いたものに限定されない。要するに、窓枠１０および障子２０の相対位置を変更することなく、回転軸３２０の位置のみを見込み方向に調整できるものであればよい。
さらに、窓枠１０および障子２０の回転軸３２０の軸心３２１と、障子２０の重心２０１の位置関係を調整する構成としては、取り付け位置を調整可能なヒンジ装置３０を用いるものに限定されない。例えば、複層ガラス２５を組み込む障子と、単板ガラスを組み込む障子とで、取付位置を予め設定した専用の軸部材および軸受け部材を用いてもよい。ただし、ガラス２５の板厚や取り付け位置などによって障子２０の重心２０１の位置は変化するので、前記実施形態のように１mmピッチなどで調整可能なヒンジ装置３０を用いることが好ましい。
また、回転軸３２０を縦枠３，４や縦框２１、２２に対して見込み方向に位置調整できないように固定して、窓枠１０および障子２０の回転軸３２０の軸心３２１と、障子２０の重心２０１の位置関係を固定してもよい。例えば、単板ガラスが組み込まれた横軸回転窓の場合には、単板ガラスに合わせて回転軸の位置が設計された障子と窓枠とを用意すればよい。また、複層ガラスが組み込まれた横軸回転窓の場合には、複層ガラスに合わせて回転軸の位置が設計された障子と窓枠とを用意すればよい。
【００９７】
また、規制装置４０，５０，６０，７０の構成も前記実施形態に限らない。規制装置４０，５０は、負圧時、あるいは正圧時に障子２０の回転を規制できるものであればその構成は限定されないが、特に、補助翼４８２，５８２等の風を利用して前記回転規制を実現できる構成であればよい。さらに、規制装置６０，７０は、所定の風速未満では障子２０の回転を規制でき、所定の風速以上ではその回転規制を解除できる構造であればよい。
さらに、戸当たり部材８を設けずに、軸心３２１および重心２０１の位置関係で設定される回転モーメントの大きさで、障子２０の開放時の回転角度を設定してもよい。
【００９８】
また、前記各実施形態の横軸回転窓２，２Ｂ，２Ｃ，２Ｄ，２Ｅを適宜組み合わせて建物に設置してもよい。例えば、建物の１つの壁において、天井近くに設けた高窓に横軸回転窓２Ｂを用い、床近くに設けた地窓に横軸回転窓２Ｃを用いてもよい。また、建物の部屋の対向する壁面にそれぞれ横軸回転窓２，２Ｂ，２Ｃ，２Ｄ，２Ｅを設けてもよい。すなわち、建物における自然換気計画に応じて横軸回転窓の種類を選択して設置すればよい。
【符号の説明】
【００９９】
２，２Ｂ，２Ｃ，２Ｄ，２Ｅ…横軸回転窓、８…戸当たり部材、１０…窓枠、２０…障子、２５…複層ガラス、３０…ヒンジ装置、３１…軸部材、３３，３８…ヒンジベース、３５…軸受け部材、４０…規制装置、４１…ストッパー受け部材、４５…ストッパー部材、４７…横軸材、４８…補助翼ストッパー、５０…規制装置、５１…ストッパー受け部材、５５…ストッパー部材、５７…横軸材、５８…補助翼ストッパー、６０…規制装置、６１…ストッパー受け部材、６３…付勢手段、６５…調整手段、７０…規制装置、７１…ストッパー受け部材、２０１…重心、３１５，３３５，３５５，３８５…凹凸条、３２０…回転軸、３２１…軸心、４１２…受け部、４８１…ストッパー本体、４８２…補助翼、４８８…当接部、５１２…受け部、５８１…ストッパー本体、５８２…補助翼、５８８…当接部、６１１…受け部、６３２…当接体、６３３…コイルバネ、６５１…ネジ、７１１…受け部。
【図１】
2015021255.tif 000003
【図２】
2015021255.tif 000004
【図４】
2015021255.tif 000005
【図５】
2015021255.tif 000006
【図６】
2015021255.tif 000007
【図７】
2015021255.tif 000008
【図８】
2015021255.tif 000009
【図９】
2015021255.tif 000010
【図１４】
2015021255.tif 000011
【図１５】
2015021255.tif 000012
【図１６】
2015021255.tif 000013
【図１７】
2015021255.tif 000014
【図１８】
2015021255.tif 000015
【図１９】
2015021255.tif 000016
【図２０】
2015021255.tif 000017
【図２１】
2015021255.tif 000018
【図２２】
2015021255.tif 000019
【図２３】
2015021255.tif 000020
【図２４】
2015021255.tif 000021
【図２５】
2015021255.tif 000022
【図２６】
2015021255.tif 000023
【図２７】
2015021255.tif 000024
【図２８】
2015021255.tif 000025
【図２９】
2015021255.tif 000026
【図３０】
2015021255.tif 000027
【図３１】
2015021255.tif 000028
【図３２】
2015021255.tif 000029
【図３３】
2015021255.tif 000030
【図３】
2015021255.tif 000031
【図１０】
2015021255.tif 000032
【図１１】
2015021255.tif 000033
【図１２】
2015021255.tif 000034
【図１３】
2015021255.tif 000035